(57)【特許請求の範囲】
【請求項１】
テレビ台と、
当該テレビ台上に回転可能に載置されたテレビ本体と
を備え、
当該テレビ本体の底面に、前記テレビ本体の回転軸を中心とした平歯車が前記テレビ本体と一体成形され、
前記テレビ台の内側に、当該平歯車とかみ合う歯車を駆動する回転装置が設置され、
前記テレビ本体の底面に、前記テレビ本体の回転軸を中心とした所定の回転軌跡上に弧状のリブが形成され、
当該弧状のリブには、前記テレビ台上をすべりながら転がる複数のすべりローラが圧入され、
前記所定の回転軌跡は、前記テレビ本体内部において最も荷重がかかる前記テレビ本体の左右両側辺の近傍に位置し、かつ前記平歯車の径よりも大きいこと
を特徴とするテレビ。
【請求項２】
テレビ本体内部において最も荷重がかかる部分は、前記テレビ本体を構成するキャビネットに、ＣＲＴを取り付けた部分であること
を特徴とする請求項１に記載のテレビ。
【請求項３】
テレビ本体は、横長のテレビであること
を特徴とする請求項１または２に記載のテレビ。
【発明の詳細な説明】
【０００１】
【産業上の利用分野】
この発明は、テレビ台上でテレビ本体を回転させるテレビに関するものである。
【０００２】
【従来の技術】
図４は従来のテレビの回転機構を示した分解斜視図、図５はテレビ台上にテレビ本体を取付ける状態を示す断面図である。
図において、１はキャビネット、２はバックカバーで、これらでテレビ本体１０を構成する。３はテレビ本体底部に一体成形されたリブ、４はモーター駆動により回転する平外歯車４ａを有した回転装置、５はこの回転装置４をテレビ本体底部に取付けるためのネジである。６は周りに円筒型成形品であるすべりローラ７が複数配設されているリング、８はこのリング６が取付けられ、かつ平内歯車８ａが一体成形されているテレビ台である。そして、テレビ本体１０はテレビ台８上に軸９を中心に回転可能に取付けられ、かつ上記歯車４ａと８ａが互いにかみ合うように組立てられる。
【０００３】
次に動作について説明する。ネジ５によりテレビ本体の底部に取付けられた回転装置４の平外歯車４ａがモーター駆動により回転し、テレビ台８の平内歯車８ａとかみ合うことにより、キャビネット１，バックカバー２よりなるテレビ本体１０に回転力が生じる。この時、テレビ本体底部に成形されたリブ３が、リング６に取付けられたすべりローラ７の上をすべりながらころがることにより、テレビ本体は回転する。
【０００４】
【発明が解決しようとする課題】
従来の回転機構は以上のように構成されているので、図６に示すようにＣＲＴ１４の荷重により、キャビネット１の両端部に鎖線で示されるような変形δが発生するという問題点があった。特にワイドテレビの様に横長のＣＲＴでは、より大きなモーメントが加わり、大きな変形δが生じ易くなる。
【０００５】
この発明は上記のような問題点を解消するためになされたもので、キャビネットの変形を小さくして製品の信頼性を向上させるとともに、部品点数を少なくし、原価低減を図る事を目的とする。
【０００６】
【課題を解決するための手段】
この発明に係るテレビは、
テレビ台と、
テレビ台上に回転可能に載置されたテレビ本体と
を備え、
テレビ本体の底面に、テレビ本体の回転軸を中心とした平歯車がテレビ本体と一体成形され、
テレビ台の内側に、平歯車とかみ合う歯車を駆動する回転装置が設置され、
テレビ本体の底面に、テレビ本体の回転軸を中心とした所定の回転軌跡上に弧状のリブが形成され、
弧状のリブには、テレビ台上をすべりながら転がる複数のすべりローラが圧入され、
所定の回転軌跡は、テレビ本体内部において最も荷重がかかるテレビ本体の左右両側辺の近傍に位置し、かつ平歯車の径よりも大きくなるように構成したものである。
【０００７】
【作用】
この発明に係るテレビは、テレビ本体をすべらせるためのすべりローラをテレビ本体の回転軸に対し所定の回転軌跡上に配設し、テレビ本体内部において最も荷重がかかる部分の回転軌跡と回転軸方向に略一致するようにしたので、キャビネットの変形を防止する。
【０００８】
【実施例】
実施例１．
以下、この発明の一実施例を図について説明する。図１はテレビの回転機構を示した分解斜視図、図２はすべりローラの取付構造を示した部分拡大図、図３は取付状態を示す断面図である。
図において、従来技術と同一部分については同一符号で示すものとする。１０ａはテレビ本体１０の底部に一体成形された平外歯車で、キャビネット１とバックカバー２の底部にそれぞれ成形された平外歯車１ａ，２ｂからなり、これら平外歯車１ａ，２ａは一体に回転する。１１はテレビ本体１０の両側の端辺近くに形成された弧状のリブで、それぞれ複数のすべりローラ７を圧入している。１２はモーター駆動により回転する平外歯車１２ａを有した回転装置であり、平外歯車１２ａはモーターの駆動力をテレビに回転力として伝達する。１３はテレビを支えるテレビ台、５は回転装置１２をテレビ台１３に取付けるためのネジである。そしてテレビ本体１０はテレビ台１３上に軸９を中心に回転可能に取付けられ、かつ上記歯車１２ａと１０ａがかみ合うように組立てられる。
【０００９】
次に動作について説明する。ネジ５によりテレビ台１３の内側に取付けられた回転装置１２の平外歯車１２ａがモーター駆動により回転し、テレビ本体１０の底部に一体成形された平外歯車１０ａとかみ合うことにより、テレビ本体に回転力が生じる。この時、テレビ本体底部のリブ１１に圧入固定されたすべりローラ７がテレビ台１３の上面をすべりながら転がることにより、テレビ本体は回転する。
【００１０】
即ち、この発明によれば、テレビ荷重を支えテレビを転がすための円筒型成形品であるすべりローラ７が図１及び図３に示すようにテレビ本体１０の左右両側辺に近い所に位置しているために、テレビ荷重を両端で支え、図６に示されるようなテレビキャビネットの変形δが防止される。
又、従来必要であったリング６及びすべりローラ７のうち、リング６の機能はテレビ本体底部に一体成形されたリブ１１により発揮されるため、リング６が不要となり、結果として部品点数が減少する。
【００１１】
実施例２．
なお上記実施例では、キャビネット１とバックカバー２にわたって平外歯車、滑りローラ、リブを設けたものを図示したが、これらをキャビネット１側のみに構成してもよい。
【００１２】
【発明の効果】
以上のように、この発明に係るテレビは、テレビ台と、テレビ台上に回転可能に載置されたテレビ本体とを備え、テレビ本体の底面に、テレビ本体の回転軸を中心とした平歯車がテレビ本体と一体成形され、テレビ台の内側に、平歯車とかみ合う歯車を駆動する回転装置が設置され、テレビ本体の底面に、テレビ本体の回転軸を中心とした所定の回転軌跡上に弧状のリブが形成され、弧状のリブには、テレビ台上をすべりながら転がる複数のすべりローラが圧入され、所定の回転軌跡は、テレビ本体内部において最も荷重がかかるテレビ本体の左右両側辺の近傍に位置し、かつ平歯車の径よりも大きくなるようにしたので、キャビネットの変形を防ぐことができ、信頼性の高い製品が得られる。
【図面の簡単な説明】
【図１】  この発明の一実施例を示す分解斜視図である。
【図２】  この発明の一実施例を示す部分拡大図である。
【図３】  この発明の一実施例の取付状態を示す断面図である。
【図４】  従来のテレビの回転機構を示す分解斜視図である。
【図５】  従来のテレビの回転機構の取付状態を示す断面図である。
【図６】  従来のテレビの回転機構の問題点を説明するための正面図である。
【符号の説明】
１０  テレビ本体、１０ａ  平外歯車、７  すべりローラ、１１  リブ、１２回転装置、１２ａ  平外歯車、１３  テレビ台。
【図１】
0003685184.tif 000002
【図２】
0003685184.tif 000003
【図３】
0003685184.tif 000004
【図４】
0003685184.tif 000005
【図５】
0003685184.tif 000006
【図６】
0003685184.tif 000007